(57)【要約】      （修正有）【課題】電波干渉による影響やアンテナ間のアイソレーションを考慮した無線中継装置を提供する。【解決手段】無線中継装置１０において、基地局向けアンテナのアンテナ指向性を成形する指向性成形部３０と、端末向けアンテナのアンテナ指向性を成形する指向性成形部３２と、基地局向けアンテナで受信した電波を増幅する下り回線増幅部と、端末向けアンテナで受信した電波を増幅する上り回線増幅部と、下り回線増幅部又は上り回線増幅部から電波の電気信号を取り出す結合部と、電気信号をデジタル信号に変換して信号処理を行い、無線基地局の識別情報と、識別情報に対応する無線基地局と通信した電気信号の受信電力とを得て、少なくとも１つの基地局を選択する信号処理部６０と、指向性成形部に指向性を設定する設定情報、識別情報及び受信電力とを記憶する記憶部と、少なくとも１つの無線基地局の設定情報を指向性成形部に設定する制御部とを含む。【選択図】図１
2020145614.tif 000002
【特許請求の範囲】
【請求項１】
１つ以上の無線基地局の通信に用いる複数のアンテナから構成される基地局向けアンテナのアンテナ指向性を成形する、基地局向けの指向性成形部と、
１つ以上の無線端末と通信に用いる複数のアンテナから構成される端末向けアンテナのアンテナ指向性を成形する、端末向けの指向性成形部と、
前記基地局向けアンテナで受信した電波を増幅する下り回線増幅部と、
前記端末向けアンテナで受信した電波を増幅する上り回線増幅部と、
前記下り回線増幅部または前記上り回線増幅部から前記電波についての電気信号を取り出す結合部と、
前記電気信号をデジタル信号に変換して信号処理を行い、前記無線基地局の識別情報と、該識別情報に対応する無線基地局から受信した前記電気信号の受信電力とを得て、該受信電力から少なくとも１つの無線基地局を選択する信号処理部と、
前記指向性成形部に指向性を設定する設定情報と、前記識別情報と、前記受信電力とを記憶する記憶部と、
前記少なくとも１つの無線基地局の設定情報を前記指向性成形部に設定する制御部と
を含んでなる無線中継装置。
【請求項２】
前記信号処理部は、
前記デジタル信号から前記１つ以上の無線基地局の識別情報を識別する基地局識別部と、
前記電気信号から、前記１つ以上の無線基地局についての受信電力を解析する受信電力解析部とを有しており、
前記信号処理部は、前記少なくとも１つの無線基地局として、前記受信電力が最大となる無線基地局の前記設定情報を選択することを特徴とする請求項１に記載の無線中継装置。
【請求項３】
前記信号処理部は、前記基地局向けアンテナと前記端末向けアンテナとの間でのアンテナ間のアイソレーション値が最大となる前記設定情報を選択することを特徴とする、請求項１または２に記載の無線中継装置。
【請求項４】
前記信号処理部は、前記基地局向けアンテナの指向方向に前記端末向けアンテナのアンテナ指向性のヌルが向くように、又は、前記端末向けアンテナの指向方向に前記基地局向けアンテナのアンテナ指向性のヌルが向くように、前記設定情報を選択することを特徴とする、請求項１〜３のいずれか一項に記載の無線中継装置。
【請求項５】
前記信号処理部は、前記基地局向けアンテナの指向方向とは反対方向に前記端末向けアンテナの指向方向が向くように、前記設定情報を選択することを特徴とする、請求項１〜３のいずれか一項に記載の無線中継装置。
【請求項６】
前記信号処理部は、前記端末向けアンテナのアンテナ指向性を前記指向性成形部で設定後、前記基地局向けアンテナのアンテナ指向性を前記設定情報で設定することを特徴とする、請求項１〜５のいずれか一項に記載の無線中継装置。
【請求項７】
前記記憶部は、前記設定情報を予め記憶していることを特徴とする、請求項１〜６のいずれか一項に記載の無線中継装置。
【請求項８】
前記基地局向けアンテナまたは前記端末向けアンテナは、一つ以上のメインビームを有することを特徴とする、請求項１〜７のいずれか一項に記載の無線中継装置。
【請求項９】
前記基地局向けアンテナまたは前記端末向けアンテナは、６４個以上のアンテナ素子を有することを特徴とする、請求項１〜８のいずれか一項に記載の無線中継装置。
【発明の詳細な説明】
【技術分野】
【０００１】
本発明は、無線基地局と無線端末との両方と無線通信する無線中継装置に関する。
【背景技術】
【０００２】
無線通信技術の発展に伴い、より広い通信可能エリアの構築が求められている。例えば、図８に示すように、半径数百メートル〜数キロメートルの通信エリアを構築する無線基地局１と、無線基地局１で発生する電波の不感地帯を解消するために、無線端末１００と通信し、半径数十メートルから数百メートル程度の拡張エリアを構築する無線中継装置１０’とが設置される。
【０００３】
このように無線中継装置を使用して通信が可能なエリアを広げていく場合、複数の無線基地局からの電波が無線中継装置で受信する環境では、拡張エリアにある無線端末から無線基地局への上り信号の電波が、無線端末が接続されている以外の無線基地局へのエリアへも放射されるため電波干渉が問題となる。例えば、図９に示すように、無線中継装置１０’が無線基地局１と通信する際に、別の無線基地局２に対して望まない電波干渉（干渉部分）を与えることがある。
【０００４】
このような問題を解消するために、特許文献１では、デジタル信号処理部（ＤＳＰ）が干渉波の信号レベルを監視し、干渉波の信号レベルが低下するように受信波の信号に重み付けを行うウェイト係数の更新を行う無線中継装置が提案されている。また、特許文献２では、無線親機の親機方向を推定する親機方向推定部を備えた無線中継装置が提案されている。これにより、特許文献２では、無線中継装置の電波と無線親機の電波の混在する場所において、無線子機向けに通信データをアンテナから送信するときに、アンテナの電波の送信方向を前記親機以外の方向に制御している。
【先行技術文献】
【特許文献】
【０００５】
【特許文献１】特開２０１７−１７３９４
【特許文献２】特開２０１７−１０８２７８
【発明の概要】
【発明が解決しようとする課題】
【０００６】
しかしながら、低遅延が求められるシステムの場合（例えば、第５世代移動通信システム）、特許文献１の場合には、デジタル信号処理部が受信波の信号に対して重み付けを行うことからアナログ信号からデジタル信号、デジタル信号からアナログ信号への処理やデジタル信号処理に起因する遅延が生じることになる。また、特許文献２の場合には、無線中継装置と無線子機（無線端末）との間での電波の混在（干渉）の解消は期待できるものの、無線親機（無線基地局）と無線中継装置との間での干渉を解消することは、無線中継装置と無線子機（無線端末）との間での制約がある関係上、困難である。例えば２つの無線親機（無線基地局）のエリアの境目に、無線中継装置が設置された場合、受信電力に差がない場合は推定が困難になるほか、反射波や回折波などが多いマルチパス環境では、必ずしも推定した無線親機（無線基地局）の方向が無線親機（無線基地局）側のアンテナと無線子機（無線端末）側のアンテナとのアイソレーションが良好とは限らない。
【課題を解決するための手段】
【０００７】
本発明は、無線基地局への電波干渉による影響や、無線基地局側のアンテナと無線端末側のアンテナとの間のアイソレーションを考慮した無線中継装置を提供する。
具体的には、
１つ以上の無線基地局の通信に用いる複数のアンテナから構成される基地局向けアンテナのアンテナ指向性を形成する、基地局向けの指向性成形部と、
１つ以上の無線端末と通信に用いる複数のアンテナから構成される端末向けアンテナのアンテナ指向性を形成する、端末向けの指向性成形部と、
前記基地局向けアンテナで受信した電波を増幅する下り回線増幅部と、
前記端末向けアンテナで受信した電波を増幅する上り回線増幅部と、
前記下り回線増幅部または前記上り回線増幅部から前記電波についての電気信号を取り出す結合部と、
前記電気信号をデジタル信号に変換して信号処理を行い、前記無線基地局の識別情報と、該識別情報に対応する無線基地局から受信した前記電気信号の受信電力とを得て、該受信電力から少なくとも１つの無線基地局を選択する信号処理部と、
前記指向性成形部に指向性を設定する設定情報と、前記識別情報と、前記受信電力とを記憶する記憶部と、
前記少なくとも１つの無線基地局の設定情報を前記指向性成形部に設定する制御部と
を含んでなる無線中継装置を提供する。
【０００８】
ここで、前記信号処理部は、前記デジタル信号から前記１つ以上の無線基地局の識別情報を識別する基地局識別部と、前記電気信号から、前記１つ以上の無線基地局についての受信電力を解析する受信電力解析部とを有しており、前記信号処理部は、前記少なくとも１つの無線基地局として、前記受信電力が最大となる無線基地局の前記設定情報を選択する態様であってもよい。
また、前記信号処理部は、前記基地局向けアンテナと前記端末向けアンテナとの間でのアンテナ間のアイソレーション値が最大となる前記設定情報を選択する態様であるか、前記信号処理部は、前記基地局向けアンテナの指向方向に前記端末向けアンテナのアンテナ指向性のヌルが向くように、又は、前記端末向けアンテナの指向方向に前記基地局向けアンテナのアンテナ指向性のヌルが向くように、前記設定情報を選択する態様であるか、前記信号処理部は、前記基地局向けアンテナの指向方向とは反対方向に前記端末向けアンテナの指向方向が向くように、前記設定情報を選択する態様であることが好ましい。
さらに、前記信号処理部は、前記端末向けアンテナのアンテナ指向性を前記指向性成形部で設定後、前記基地局向けアンテナのアンテナ指向性を前記設定情報で設定する態様であってもよい。
そして、前記記憶部は、前記設定情報を予め記憶している態様であることが好ましい。
加えて、前記基地局向けアンテナまたは前記端末向けアンテナの指向方向に、一つ以上のメインビームを有する態様であることが好ましい。ここで、前記基地局向けアンテナまたは前記端末向けアンテナは、６４個以上のアンテナ素子を有する態様であることがより好ましい。
【発明の効果】
【０００９】
本発明によれば、複数の無線基地局がある場合でも所望する無線基地局以外の無線基地局への影響を無線基地局側のアンテナ指向性を制御して低減することができるので、無線中継装置から無線基地局への通信の際の電波の干渉を低減することができる。
【図面の簡単な説明】
【００１０】
【図１】図１Ａは、本発明の一実施態様である無線中継装置の機能構成を示すブロック図である。図１Ｂは、図１Ａの無線中継装置の下り回線増幅部と上り回線増幅部とを分けて示したブロック図である。
【図２】図２Ａは、図１Ａの指向性成形部の機能構成を示すブロック図である。図２Ｂは、指向性成形部に接続される、基地局向けアンテナ及び端末向けアンテナの一例を示すブロック図である。
【図３】図３Ａは、基地局向けアンテナ及び端末向けアンテナに用いられるアンテナ素子の配置を示す図である。図３Ｂは、本発明の一実施態様である無線中継装置の指向性成形部に設置される基地局向けアンテナを構成するアンテナ素子の素子数と正規化指向性利得との関係を示す図である。
【図４】本発明の一実施態様である無線中継装置が、基地局向けアンテナを用いて、複数の無線基地局と通信することを示す概略図である。
【図５】本発明の一実施態様である無線中継装置の指向性成形部が、無線基地局１に対し、基地局向けアンテナを用いて（図中の「Ｂ」に対応する）ビームを形成したことを示す概略図である。
【図６】図５の「Ｂ」に対応する受信電力が一番高い指向性を無線中継装置１０が設定するステップを示すフローチャートである。
【図７】図７Ａは、受信電力が一番高い指向性を有する無線基地局を選択するステップを示すフローチャートである。図７Ｂは、基地局向けアンテナと端末向けアンテナとの間のアイソレーション値を最大にする指向性を選択するステップを示すフローチャートである。
【図８】従来の無線基地局と無線中継装置との位置関係及び通信エリアを示す概略図である。
【図９】従来の無線中継装置で問題となる電波の干渉を示す概略図である。
【発明を実施するための形態】
【００１１】
図１Ａを参照して、本発明の一実施態様である無線中継装置１０を説明する。無線中継装置１０は、無線基地局と通信する基地局向けアンテナに対して所定の指向性を与える指向性成形部３０と、無線端末と通信する端末向けアンテナに対して所定の指向性を与える指向性成形部３２と、指向性成形部３０に接続された経路切替部４０と、指向性成形部３２に接続された経路切替部４２と、経路切替部４０、４２にそれぞれ接続され、電気信号を取り出す結合部を含む下り回線増幅部５０及び上り回線増幅部５２と、下り回線増幅部５０及び上り回線増幅部５２にそれぞれ接続される信号処理部６０と、信号処理部６０に接続された記憶部７０と、指向性成形部３０、３２と経路切替部４０、４２と信号処理部６０と記憶部７０とにそれぞれ接続された制御部２０とを含む。
【００１２】
次に、図１Ａに示す無線中継装置１０の各部を説明する。ここで、図２Ａを参照すると、基地局向けアンテナの指向性成形部３０は、経路切替部４０にそれぞれ接続される位相器と、該位相器と各基地局アンテナとの間にそれぞれ接続される振幅調整器とを備える。指向性成形部３０は、制御部２０からの信号（破線で示す）によって、位相器で各基地局向けアンテナに給電する位相を変更し、振幅調整器によって各基地局向けアンテナに給電する振幅を変更することによって、基地局向けアンテナの指向性を変更することができる（かかる点については、各端末向けアンテナに接続される指向性形成部３２も同様の構成及び機能を有している）。上記の位相器には、一般的に半導体が使用され、半導体の制御端子に印加される電圧に応じて位相量が変化するアナログ型と、複数の制御端子の電圧レベルのハイ、ローで位相量が変化するデジタル型とがある。また、振幅調整器についても、一般的に半導体が使用され、位相器と同様に、印加電圧に応じて振幅が変化するアナログ型と、電圧レベルのハイ、ローで振幅が変化するデジタル型があり、振幅を減衰させる可変減衰器や増幅器の利得を変化させる可変増幅器がある。位相器及び振幅調整器に半導体を使用することによって高速な指向性成形が可能になるほか、プリント基板の表面に例えばパッチアンテナを、背面に位相器や振幅調整器をそれぞれ配置することにより、小型化や給電損失を抑えることができる。
次に、指向性成形部３０に接続される基地局向けアンテナの一例を図２Ｂに示す。各基地局向けアンテナは、指向性成形部３０が成形する指向性にそれぞれ対応する位相器及び振幅調整器に接続されている。このような基地局向けアンテナは、位相器及び振幅調整器１系統についてアンテナ１基を有していてもよく、位相器及び振幅調整器１系統についてアンテナを複数有していてもよい。
【００１３】
経路切替部４０、４２は、上り信号や下り信号を同一周波数でそれぞれ切り替えて使用する時分割複信方式の場合に用いられる。上り信号や下り信号で異なる周波数を使用する周波数分割複信方式の場合には、例えば、図１Ｂに示すように、下り回線と上り回線とで経路を分離する方法を使用することや、線路切替部４０、４２の代わりに、上り周波数と下り周波数とを分離するデュプレクサを使用することがある。
【００１４】
下り回線増幅部５０及び上り回線増幅部５２は、アナログの増幅回路によって構成される。そして、下り回線増幅部５０や上り回線増幅部５２に備えた結合部（図示せず）によって、信号を分離して信号処理部６０に送る。このような結合部として、方向性結合器（カプラ）などが用いられる。
【００１５】
信号処理部６０は、下り回線増幅部５０や上り回線増幅部５２から受信したアナログ信号をデジタル信号に変換し、受信信号の復調処理を行う。信号処理部６０の基地局識別部は、復調された信号から基地局の識別情報（例えば基地局ＩＤ）を取り出す。複数の基地局からの信号が混在している場合には、各基地局に対応する異なる基地局ＩＤを得る。信号処理部６０の受信電力解析部は、上記のデジタル信号を解析して、基地局識別部で得られた各基地局についての受信電力値を得ることができる。このようにして、所定の指向性における各基地局の受信電力を得ることができる。
【００１６】
記憶部７０は、信号処理部６０で得られた各基地局の受信電力を記憶することができる。また、指向性成形部３０、３２に設定するための設定情報（位相値及び振幅値）を保存することができる。また、かかる設定情報を予め記憶部７０に記憶しておくことによって、指向性成形部３０、３２を短時間で設定できるので、基地局向けアンテナや端末向けアンテナの指向性を低遅延で切り替えることができる。指向性成形部３０、３２での成形に時間をかけられる場合や、制御部２０の処理能力が高い場合には、信号処理部６０から得られた情報から指向性成形部３０、３２に設定する設定情報を、その都度、計算して求めることもできる。
【００１７】
制御部２０は、信号処理部６０から信号を受信し、記憶部７０に記憶した設定情報を読み出し、指向性成形部３０、３２に設定情報を送信する。また、制御部２０は、その他の各部の状態の監視や制御などを行う。
【００１８】
このように無線中継装置１０によれば、遅延が生じやすいデジタル信号処理を、高速なアナログ増幅処理とは分離した構成を採用しているため、低遅延を実現することができる。また、受信波の信号に対してデジタル信号処理で重み付けを行う無線中継装置に比べて、デジタル-アナログ変換器が不要になるため、小型・軽量化、価格を抑えることができる。
【００１９】
次に、図３Ａを参照して、基地局向けアンテナや端末向けアンテナとして使用される複数のアンテナ素子の配置の一例を説明する。図３Ａでは、アンテナ素子が互いに０．５波長だけ離間して正方配列（１６行×１６列）された、２５６素子からなる基地局向けアンテナや端末向けアンテナの一例を示す。なお、図３Ａでは、基地局向けアンテナや端末向けアンテナとして２５６素子（１６行×１６列）に正方配列された複数のアンテナ素子を含む一例を示しているが、これに限らず、任意のｎ行×ｍ列の直方配列や、円形配列、三角配列等、平面状に配列された複数のアンテナ素子を含んだものでも良い。次に、図３Ｂは、図３Ａに示すアンテナ素子の数を４素子、１６素子、６４素子及び２５６素子としてそれぞれ正方配列した各基地局向けアンテナについて、各アンテナ素子に同位相、同振幅を与えた場合の指向性を示す。なお、指向性は最大放射方向の角度０°で正規化している。アンテナ素子数が増えると指向性は鋭くなり３ｄＢビーム幅（半値幅）は狭くなる。半値幅は４素子が５８°、１６素子が２６°、６４素子が１３°、２５６素子が６．５°である。また、アンテナ素子数が増えるほどアンテナの指向性利得は高くなる。更にアンテナ素子数が増えるほど（正規化指向性利得が極小である）ヌルが増えていく。そのため、例えば、−１５°方向のアンテナ利得差は４素子に比べて２５６素子では約３０ｄＢ低くなっている。そして、アンテナ素子が多い方が半値幅は小さくなるので、不要方向への放射が小さくなり、干渉を軽減できる。
【００２０】
次に、図４及び図５を参照して、図１の無線中継装置１０の各部の動作を説明する。無線中継装置１０が無線基地局１と通信する場合には、制御部２０は、基地局向けアンテナの指向性成形部３０を構成する位相器及び振幅調整器に設定する位相量及び振幅についての信号を出力する。これにより、制御部２０は、基地局向けアンテナを用いて、例えば、図４に示すＡ〜Ｅに対応する指向性を有するビームを成形させることができる（図４の場合の指向性Ａ〜Ｅを成形するための位相値や振幅値はそれぞれ異なる）。このように、制御部２０から、位相量及び振幅についての信号を指向性成形部３０に出力することによって、基地局向けアンテナの向きを物理的に変更することなく、その指向性を変更することができる（図５の「Ｂ」に対応するビームを参照のこと）。
【００２１】
次に、図６を参照して、（図５の「Ｂ」に対応する）受信電力が一番高い指向性を無線中継装置１０が設定するステップを説明する。まず、ステップＳ５００において、無線中継装置１０の基地局向けアンテナの指向性の設定回数ｋ（ｋは１以上の整数）を設定する。ステップＳ５０２において、基地局向けアンテナについて指向性ｎ（ｎは１以上の整数）を設定する。これらの設定回数ｋ及び指向性ｎは、記憶部７０に記憶される。次に、ステップＳ５０４において、無線中継装置１０の信号処理部６０は、指向性１〜ｎについて、基地局向けアンテナからの受信信号を解析する。ここで、信号処理部６０は、無線基地局数分の識別情報（基地局ＩＤ）と、その無線基地局の識別情報ごとの受信電力とを記憶部７０に記憶する。そして、ステップＳ５０６において、信号処理部６０は、指向性ｎが設定回数ｋと等しいかを判断する。もし、指向性ｎが設定回数ｋと等しくない場合（指向性ｎが設定回数ｋにまだ達していない場合）には、ｎに１を加えてから、ステップＳ５０２に戻る。一方、指向性ｎが設定回数ｋと等しい場合には、ステップＳ５０８に進み、信号処理部６０は、ステップＳ５０４において記憶部７０に記憶した各無線基地局の識別情報ごとの受信電力のうち、受信電力が一番大きい指向性に対応する設定情報（位相値及び振幅値）を指向性成形部３０に設定する。
【００２２】
次に、図７Ａ及び図７Ｂを参照して、基地局向けアンテナと端末向けアンテナとの間のアイソレーションが一番高い指向性を無線中継装置１０が設定するステップを説明する。まず、図７ＡのステップＳ５００〜Ｓ５１０では、基地局向けアンテナの指向性１〜ｎについて、各無線基地局の識別情報とその受信電力とを検討する。なお、図７ＡのステップＳ５００〜Ｓ５０６は、図６のステップＳ５００〜Ｓ５０６と同じである。すなわち、ステップＳ５００において、無線中継装置１０の基地局向けアンテナの指向性の設定回数ｋを設定する。ステップＳ５０２において、基地局向けアンテナについて指向性ｎを設定する。これらの設定回数ｋ及び指向性ｎは、記憶部７０に記憶される。次に、ステップＳ５０４において、無線中継装置１０の信号処理部６０は、指向性１〜ｎについて、基地局向けアンテナからの受信信号を解析する。ここで、信号処理部６０は、無線基地局数分の識別情報（基地局ＩＤ）と、その無線基地局の識別情報ごとの受信電力とを記憶部７０に記憶する。そして、ステップＳ５０６において、信号処理部６０は、指向性ｎが設定回数ｋと等しいかを判断する。もし、指向性ｎが設定回数ｋと等しくない場合（指向性ｎが設定回数ｋにまだ達していない場合）には、ｎに１を加えてから、ステップＳ５０２に戻る。
一方、指向性ｎが設定回数ｋと等しい場合には、ステップＳ５１０に進み、信号処理部６０は、ステップＳ５０４において記憶部７０に記憶した各無線基地局の識別情報ごとの受信電力のうち、受信電力が一番大きい無線基地局の識別情報（基地局ＩＤ）を記憶部７０に記憶する。そして、無線中継装置１０が通信する無線基地局を決定する。
【００２３】
次に、図７ＢのステップＳ５１２〜Ｓ５２６において、端末向けアンテナの指向性０〜ｍ（ｍは１以上の整数）について、基地局向けアンテナの指向性０〜ｎとのアイソレーションを検討する。まず、ステップＳ５１２において、無線中継装置１０の信号処理部６０は、端末向けアンテナの指向性の設定回数ｉ（ｉは１以上の整数）を設定する（このｉは記憶部７０に記憶される）。ステップＳ５１４において、初期値として、信号処理部６０は、ｎに１を入力し、ｍに１を入力する。ステップＳ５１６において、信号処理部６０は、基地局向けアンテナの指向性ｎを設定する。そして、ステップＳ５１８において、信号処理部６０は、端末向けアンテナの指向性ｍを設定する。これらの設定回数ｉ及び指向性ｍは、記憶部７０に記憶される。次に、ステップＳ５２０において、無線中継装置の信号処理部６０は、基地局向けアンテナの指向性ｎでの無線基地局（Ｓ５１０で記憶部に記憶した基地局ＩＤをもつ無線基地局）からの受信信号と、端末向けアンテナの指向性ｍで放射した電波を基地局向けアンテナで受信した受信電力とを解析し、基地局向けアンテナと端末向けアンテナのアイソレーション値Ａm,nを記憶部７０に記憶する。そして、ステップＳ５２２において、信号処理部６０は、指向性ｍが設定回数ｉと等しいかどうかを判断する。もし、指向性ｍが設定回数ｉと等しくない場合（指向性ｍが設定回数ｉにまだ達していない場合）には、ｍに１を加えてから、ステップＳ５１６に戻る。一方、指向性ｍが設定回数ｉと等しい場合には、ステップＳ５２４に進み、信号処理部６０は、指向性ｎが設定回数ｋと等しいかを判断する。もし、指向性ｎが設定回数ｋと等しくない場合（指向性ｎが設定回数ｋにまだ達していない場合）には、ｎに１を加えてから、ステップＳ５１６に戻る。一方、指向性ｎが設定回数ｋと等しい場合には、ステップＳ５２６に進み、信号処理部６０は、ステップＳ５２０において記憶部７０に記憶した各アイソレーション値Ａm,nのうち、アイソレーション値が最大になる指向性ｍと指向性ｎとに対応する設定情報を選択する。
【００２４】
本明細書で説明してきたように、本発明によれば、無線中継装置における無線基地局と無線中継装置間の通信の際の電波の干渉を低減し、基地局との間の通信のスループットが向上する無線中継装置を提供することが可能となる。また、無線中継装置の基地局向けアンテナと端末向けアンテナとの間のアイソレーションも確保することができる。
【符号の説明】
【００２５】
１、２  無線基地局
１０  無線中継装置
２０  制御部
３０、３２  指向性成形部
４０、４２  経路切替部
５０、５２  回線増幅部
６０  信号処理部
７０  記憶部
【図１】
2020145614.tif 000003
【図２】
2020145614.tif 000004
【図３】
2020145614.tif 000005
【図４】
2020145614.tif 000006
【図５】
2020145614.tif 000007
【図６】
2020145614.tif 000008
【図７Ａ】
2020145614.tif 000009
【図７Ｂ】
2020145614.tif 000010
【図８】
2020145614.tif 000011
【図９】
2020145614.tif 000012